(57)【要約】【課題】  アンテナを屋内に設置しても屋外に設置しても電気的特性が極力異ならないようにする。【解決手段】  上側板１００ａと左側板１００ｄと右側板１００ｂと下側板１００ｃからなる矩形状のループアンテナ１００であって、左側板１００ｄと右側板１００ｃｂとの面は、上側板１００ａおよび下側板１００ｃの面に対してほぼ直角に折り曲げられて、小型化されている。また、取付金具が取り付けられる部位に、取付金具を投影した形状とほぼ同形状の導体板１０１が配置されている。これにより、取付具があってもなくても電気的特性がほぼ同様となる。すなわち、ループアンテナ１００を屋内に設置しても屋外に設置しても電気的特性が極力異ならないようになる。【選択図】  図１
2013093805.tif 000002
【特許請求の範囲】
【請求項１】
上側板と左側板と右側板と下側板からなる矩形ループ状のアンテナであって、
前記左側板と前記右側板との面は、前記上側板および前記下側板の面に対してほぼ直角に折り曲げられており、
取付金具が取り付けられる部位に、該取付金具を投影した形状とほぼ同形状の導体板が配置されていることを特徴とするアンテナ。
【請求項２】
上側板と左側板と右側板と下側板からなり、前記左側板と前記右側板との面は、前記上側板および前記下側板の面に対してほぼ直角に折り曲げられている矩形ループ状のアンテナと、
該アンテナが収納されている絶縁性のアンテナケースと、
該アンテナケースに設けられる取付金具を投影した形状とほぼ同形状とされ、該取付金具が取り付けられる部位に対応する前記アンテナケースの内面に配置された導体板と、
を備えることを特徴とするアンテナ装置。
【請求項３】
前記下側板のほぼ中央が切断されて、切断された端部が給電点とされており、前記ケースに装着された接栓座と前記給電点との間が、バランを介して接続されていることを特徴とする請求項２記載のアンテナ装置。
【請求項４】
前記上側板と前記下側板にそれぞれ複数の係止孔が形成されていると共に、前記アンテナケースの内面に前記複数の係止孔に対応して複数の突起片が形成されており、前記突起片のそれぞれが前記係止孔のそれぞれに係合することにより、前記アンテナが前記アンテナケース内に固着されており、前記アンテナを前記アンテナケース内に取り付けた際に、前記左側板と前記右側板との面が前記アンテナケースの側壁の内面と対面することを特徴とする請求項２記載のアンテナ装置。
【請求項５】
前記導体板の四隅が切り欠かれており、該切り欠かれた四隅に対応する前記アンテナケースの内面にそれぞれボスが形成されており、前記導体板の上に配置した絶縁性の矩形状の固定用枠体の四隅に挿通したネジ手段を前記ボスにそれぞれ螺着することにより、前記導体板が前記アンテナケースに固着されていることを特徴とする請求項２記載のアンテナ装置。
【発明の詳細な説明】
【技術分野】
【０００１】
本発明は、ハイバンドのマルチメディア放送を受信するための屋外および屋内において使用可能な小型のアンテナおよびアンテナ装置に関する。
【背景技術】
【０００２】
ハイバンドのマルチメディア放送の周波数帯域は２０７．５ＭＨｚ〜２２２ＭＨｚのＶＨＦ帯域とされ、偏波方向は水平偏波とされている。ＶＨＦ放送の受信用アンテナとしては従来の八木式アンテナを使用することができる。このようなＶＨＦ帯の八木式アンテナは、十分な受信電力で水平偏渡のＶＨＦ電波を受信しようとすると、横方向に共振波長の１／２波長の長さの素子となるため、横方向に大型化せざるを得なかった。また、ＶＨＦ帯のアンテナとして八木式アンテナに替えてループアンテナを使用することができ、水平偏渡のＶＨＦ電波を受信できるループアンテナは、横方向には八木式アンテナより大型化しないようになる。
【先行技術文献】
【特許文献】
【０００３】
【特許文献１】特開平１１-１３６０２０号公報
【発明の概要】
【発明が解決しようとする課題】
【０００４】
従来の水平偏渡のＶＨＦ電波を受信できるループアンテナは、ループ面が地面に対してほぼ垂直に配置されて設置される。このループアンテナをケース内に内蔵して、ケースを直立して設置することにより、屋内において使用することができる。また、このケースに内蔵したループアンテナを屋外に設置することも可能であり、屋外に設置する際にはケースに取付金具を取り付けて、取付金具によりポール等にループアンテナを内蔵したケースを直立して取り付けることになる。
しかしながら、取付金具は金属製とされていることから、取付金具によりループアンテナの電気的特性が変化するようになる。そして、ループアンテナを屋内に設置する時は取付金具は不要であり、屋外に設置する時は取付金具が必要とされることから、アンテナを屋内に設置した時と屋外に設置した時とでは電気的特性が異なってしまうという問題点があった。
【０００５】
そこで、本発明は、アンテナを屋内に設置しても屋外に設置しても電気的特性が極力異ならないようにしたアンテナおよびアンテナ装置を提供することを目的としている。
【課題を解決するための手段】
【０００６】
本発明のアンテナは、上側板と左側板と右側板と下側板からなる矩形ループ状のアンテナであって、前記左側板と前記右側板との面は、前記上側板および前記下側板の面に対してほぼ直角に折り曲げられており、取付金具が取り付けられる部位に、該取付金具を投影した形状とほぼ同形状の導体板が配置されていることを最も主要な特徴としている。
【発明の効果】
【０００７】
本発明によれば、取付金具が取り付けられる部位に、該取付金具を投影した形状とほぼ同形状の導体板が配置されていることから、アンテナを屋内に設置しても屋外に設置しても電気的特性が極力異ならないようになる。また、左側板と右側板との面が、上側板および下側板の面に対してほぼ直角に折り曲げられていることから、アンテナを小型化することができるようになる。
【図面の簡単な説明】
【０００８】
【図１】本発明の実施例にかかるアンテナの構成を示す正面図である。
【図２】本発明の実施例にかかるアンテナの構成を示す側面図である。
【図３】本発明の実施例にかかるアンテナの構成を示す下面図である。
【図４】本発明の実施例にかかるアンテナ装置の構成を示す正面図である。
【図５】本発明の実施例にかかるアンテナ装置の他の構成を示す正面図である。
【図６】本発明の実施例にかかるアンテナ装置に内蔵されるループアンテナの構成を示す正面図である。
【図７】本発明の実施例にかかるアンテナ装置に内蔵されるループアンテナの構成を示す側面図である。
【図８】本発明の実施例にかかるアンテナ装置に内蔵されるループアンテナの構成を示す上面図である。
【図９】本発明の実施例にかかるアンテナ装置における後ケースの構成を示す正面図である。
【図１０】本発明の実施例にかかるアンテナ装置において、後ケースに導体板を固着する態様を示す斜視図である。
【図１１】本発明の実施例にかかるアンテナ装置において、前ケースにループアンテナを固着する態様を示す斜視図である。
【図１２】本発明の実施例にかかるアンテナ装置における前ケースの構成を示す正面図である。
【図１３】本発明の実施例にかかるアンテナ装置において、前ケースと後ケースとを固着する態様を示す斜視図である。
【図１４】本発明の実施例にかかるアンテナ装置にアンテナ取付具を固着する態様を示す斜視図である。
【図１５】本発明の実施例にかかるアンテナおよびアンテナ装置において、導体板がない場合のＶＳＷＲの周波数特性を示す図である。
【図１６】本発明の実施例にかかるアンテナおよびアンテナ装置において、導体板がある場合のＶＳＷＲの周波数特性を示す図である。
【発明を実施するための形態】
【０００９】
本発明の実施例にかかるアンテナの構成を図１ないし図３に示す。図１は本発明の実施例にかかるアンテナの構成を示す正面図であり、図２は本発明の実施例にかかるアンテナの構成を示す側面図であり、図３は本発明の実施例にかかるアンテナの構成を示す下面図である。
これらの図に示す本発明の実施例にかかるアンテナはループアンテナ１００とされており、２０７．５ＭＨｚ〜２２２ＭＨｚの周波数帯域の水平偏波のマルチメディア放送を受信することができるアンテナとされている。このループアンテナ１００は、上側板１００ａと左側板１００ｄと右側板１００ｂと下側板１００ｃとからなる矩形ループ状とされており直立されている。上側板１００ａおよび下側板１００ｃは、両端部がＬ字状とされた所定幅の細長い板状とされ、下側板１００ｃのほぼ中央が切断されて、切断された端部が給電点１００ｅとされている。給電点１００ｅと、平衡型のループアンテナ１００の受信信号が出力される同軸端子等の不平衡の端子１０４とは、バラン１０３を介して接続されている。また、右側板１００ｂおよび左側板１００ｄは、所定幅の細長い矩形の板状とされており、右側板１００ｂと左側板１００ｄの面は、上側板１００ａおよび下側板１００ｃの面に対してほぼ直角に対面するよう折り曲げられている。このようなループアンテナ１００は、金属板を加工することにより作成されている。
【００１０】
ループアンテナ１００において特徴的な構成は、ループアンテナ１００のほぼ中央に導体板１０１が配置されている構成とされている。導体板１０１は矩形状とされており、ループアンテナ１００を取り付ける金属製のアンテナ取付具１０２を投影した形状とされている。ループアンテナ１００を屋内に設置する場合は、アンテナ取付具１０２が不要となるが、アンテナ取付具１０２がない場合のループアンテナ１００の電気的特性は導体板１０１の影響により、アンテナ取付具１０２がある場合の電気的特性とほぼ同様となる。
【００１１】
次に、本発明の実施例のアンテナ装置１の外観の構成を図１に示す。
本発明の実施例のアンテナ装置１は、２０７．５ＭＨｚ〜２２２ＭＨｚの周波数帯域の水平偏波のマルチメディア放送を受信することができるアンテナ装置１とされている。そして、図１ないし図３に示す本発明にかかるループアンテナ１００を合成樹脂製のアンテナケース２に内蔵して構成されている。アンテナケース２は、薄い厚みの直方体状とされており下部にスタンド２ｃが着脱自在に取り付けられている。アンテナ装置１を屋内に設置する場合は、スタンド２ｃをアンテナケース２の下部に取り付けることにより、アンテナ装置１を直立させて設置することができる。また、アンテナ装置２を屋外に設置する場合は、図５に示すようにスタンド２ｃをアンテナケース２の下部から取り外すと共に、アンテナケース２の背面にアンテナ取付具を取り付ける。そして、アンテナ取付具によりポール等にアンテナ装置１を設置すればよい。なお、図５に示すアンテナケース２の高さＨは約４３１ｍｍとされ、幅Ｗは約２７０ｍｍとされている。
【００１２】
次に、アンテナケース２に内蔵される本発明の実施例にかかるループアンテナ３の構成を図６ないし図８に示す。図６はループアンテナ３の構成を示す正面図であり、図７はループアンテナ３の構成を示す側面図であり、図８はループアンテナ３の構成を示す上面図である。
これらの図に示すループアンテナ３は、２０７．５ＭＨｚ〜２２２ＭＨｚの周波数帯域の水平偏波のマルチメディア放送を受信することができるループアンテナとされている。このループアンテナ３は、上側板３ａと右側板３ｂと左側板３ｄと下側板３ｃとからなる矩形ループ状とされている。上側板３ａおよび下側板３ｃは、両端部がＬ字状とされた所定幅の細長い板状とされ、上側板３ａおよび下側板３ｃの右側および左側にそれぞれ一対の横に細長い形状の係止孔３ｆが形成されている。また、下側板３ｃのほぼ中央が切断されて、切断された端部が給電点３ｅとされている。さらに、右側板３ｂおよび左側板３ｄは、所定幅の細長い矩形の板状とされており、右側板３ｂと左側板３ｄの面は、上側板３ａおよび下側板３ｃの面に対してほぼ直角に折り曲げられて対面している。このようなループアンテナ３は、金属板を加工することにより作成されている。このループアンテナ３における上側板３ａおよび下側板３ｃの長さｗ１は約２５０ｍｍとされ、上側板３ａおよび下側板３ｃにおけるＬ字状の内側間の長さｗ２は約２１０ｍｍとされている。また、右側板３ｂおよび左側板３ｄの高さｈ１は約３６０ｍｍとされ、ループアンテナ３の縦の高さｈ２は約４００ｍｍとされている。さらに、右側板３ｂおよび左側板３ｄの幅ｄ１は約４５ｍｍとされている。
【００１３】
アンテナケース２は後述する前ケース１０と後ケース１１からなり、前ケース１０と後ケース１１とを組み付けることによりアンテナケース２が構成されている。ここで、後ケース１１の構成を示す正面図を図９に示す。
後ケース１１は図９に示すように矩形の箱状とされており、矩形状の底面１１ａと底面１１ａの周囲から立設して形成された側壁１１ｂとから構成されている。底面１１ａの内側の四隅と側壁１１ｂの中央部の内側近傍には合計６個の円筒状のボスＡがそれぞれ形成されており、中央部には４つのＣボスがほぼ正方形の頂点の位置に対応してそれぞれ形成されている。そして、Ｃボスのそれぞれから斜め外方の位置にＢボスがそれぞれ形成されている。また、矩形の四隅が切り欠かれた形状の導体板４が後ケース１１の内側のほぼ中央部に配置されており、導体板４の切り欠かれた四隅の位置に４つのＢボスおよびＣボスが位置している。
【００１４】
次に、後ケース１１に導体板４を固着する態様を図１０に示す。
図１０の斜視図に示されているように、所定幅の矩形の枠状とされた合成樹脂製の固定用枠体１２の四隅に形成されている挿通孔１５にそれぞれネジ１３を挿通し、後ケース１１の内側のほぼ中央部に配置されている導体板４の上に載置する。そして、４本のネジ１３をそれぞれＢボスに螺着する。これにより、固定用枠体１２により導体板４を後ケース１１の内側のほぼ中央部に固着することができる。なお、固定用枠体１２の挿通孔１５の斜め内側に位置して円筒状のスペーサ１４がそれぞれ配置されている。固定用枠体１２が後ケース１１の内側に固着された際のスペーサ１４の高さが、Ａボスの高さとほぼ同様の高さになるようにされている。また、Ｃボス内に外径が六角形のナット１６がそれぞれ嵌入される。ナット１６はＣボス内に嵌入された際に、Ｃボスに対して回動不能に係合される。
【００１５】
次に、前ケース１０にループアンテナ３を固着する態様と図１１に示す。
図１１の斜視図に示されているように、前ケース１０は矩形の箱状と後ケース１１と同様とされており、矩形状の底面１０ａと底面１０ａの周囲から立設して形成された側壁１０ｂとから構成されている。底面１０ａの内側の四隅と側壁１０ｂの中央部の内側近傍には合計６個の径の細い円筒状のＤボスがそれぞれ形成されており、内側の上部には左側および右側にそれぞれ一対の横方向に長くされた突起片１０ｃが突出するよう形成されている。なお、図示されていないが前ケース１０の内側の下部の左側および右側にもそれぞれ一対の横方向に長くされた突起片１０ｃが突出するよう形成されている。また、前ケース１０の側壁１０ｂにおける下面のほぼ中央に挿通孔２３が形成されており、この挿通孔２３には同軸接栓とされている接栓座２２を挿通することができるようにされている。
【００１６】
このような構成の前ケース１０の内側にループアンテナ３を載置して、ループアンテナ３の上側板３ａに形成されている合計４つの係止孔３ｆのそれぞれに、前ケース１０の内側上部において突出して形成されている突起片１０ｃが嵌入されて係止される。また、ループアンテナ３の下側板３ｃに形成されている合計４つの係止孔３ｆのそれぞれに、前ケース１０の内側下部において突出して形成されている突起片１０ｃが嵌入されて係止される。これにより、前ケース１０の内側にループアンテナ３を固着することができ、固着された際にループアンテナ３の左側板３ｄと右側板３ｂとの面がそれぞれ前ケース１０の側壁１０ｂの内面に対面するようになる。また、ループアンテナ３の下側板３ｃにおける給電点３ｅはバラン２１の平衡端子に接続され、バラン２１の不平衡端子が接栓座２２に接続される。バラン２１は前ケース１０内に収納されると共に、接栓座２２は前ケース１０の側壁１０ｂに形成されている挿通孔２３に挿通されて固着される。
【００１７】
図１１に示す前ケース１０にループアンテナ３を固着する態様により、前ケース１０にループアンテナ３を固着した前ケース１０の構成を図１２に示す。図１２に示す正面図のように、ループアンテナ３は前ケース１０の側壁１０ｂで囲まれた内部空間に収納されるよう固着される。固着に際しては、ループアンテナ３の上側板３ａおよび下側板３ｃに形成されている係止孔３ｆのそれぞれに、前ケース１０の内側上部および内側下部において突出して形成されている突起片１０ｃがそれぞれ係止される。前ケース１０にループアンテナ３を固着した状態において、底面１０ａの上部に形成された２つのＤボスは上側板３ａの上に位置し、底面１０ａの下部に形成された２つのＤボスは下側板３ｃの下に位置し、側壁１０ｂの中央部の内側近傍に形成された２つのＤボスは左側板３ｄと右側板３ｂの内側に位置するようになる。
【００１８】
次に、前ケース１０に後ケース１１を固着する態様を図１３に示す。
図１３の斜視図に示すように、後ケース１１の上部両側および下部両側と中央部の両側との６ヶ所にはそれぞれ透孔１１ｃが形成されており、透孔１１ｃは前述した６個のＡボスを貫通する孔に連通している。また、後ケース１１の中央部にはほぼ正方形の頂点に対応する４ヶ所の位置にそれぞれ挿通孔１１ｄが形成されている。この挿通孔１１ｄは、前述した４個のＣボスを貫通する孔に連通している。
ここで、前ケース１０の開放面と後ケース１１の開放面とを対面させるように、前ケース１０の側壁１０ｂの上端面に後ケース１１の側壁１１ｂの上端面とを合わせるようにする。次いで、６ヶ所に形成されている透孔１１ｃにネジ２４をそれぞれ挿通し、Ａボス内を貫通したネジ２４を前ケース１０に形成されている６個のＤボスのそれぞれに螺着する。これにより、前ケース１０に後ケース１１が固着されるようになる。
【００１９】
このようにして組み立てられた本発明にかかるアンテナ装置１を屋内で使用する場合は、アンテナケース２の下面にスタンド２ｃを取り付けて図４に示すアンテナ装置１とする。これにより、アンテナ装置２を直立して屋内で使用することができマルチメディア放送の水平偏波を受信できるようになる。
【００２０】
また、本発明にかかるアンテナ装置１を屋外で使用する場合は、アンテナ取付具をアンテナケース２の背面に取り付ける。アンテナ取付具をアンテナケース２の背面に取り付ける態様を図１４に示す。
図１４の斜視図に示すように、アンテナ取付具は支柱受金具２５とＵ字ボルト２７と挟持金具２６と蝶ボルト２８とから構成されている。支柱受金具２５は金属板を加工して作成されており、断面がＭ字状に折曲されて中央がＭ字状に凹んでいる。支柱受金具２５を投影した形状は矩形状となり、矩形状の導体板４の形状とほぼ同様とされている。この支柱受金具２５の両側の平らな取付面の上下にそれぞれ形成されている孔にネジ２９をそれぞれ挿入して、ネジ２９を後ケース１１に形成されている４つの挿通孔１１ｄに挿通する。これにより、４本のネジ２９は後ケース１１の内側に形成されている４つのＣボス内にそれぞれ挿通され、Ｃボス内に装着されているナット１６にそれぞれ螺着されるようになる。これにより、支柱受金具２５がアンテナケース２の背面に強固に固着される。固着された際に、支柱受金具２５は後ケース１１の底面１１ａを挟んで導体板４と対面する。
【００２１】
この支柱受金具２５のほぼ中央の横方向に形成されている通し孔にＵ字ボルト２７を挿通し、Ｕ字ボルト２７に金属板を加工して作成されている挟持金具２６を装着する。挟持金具２６は横方向に長い矩形状とされ、その中央部は断面がＭ字状に折曲されて、このＭ字状の凹部が支柱受金具２５のＭ字状の凹部と対向するようになり、支柱受金具２５と挟持金具２６との間にポールを挟持することができるようになる。挟持金具２６の両側には長孔と横方向の溝とが形成されており、この長孔と溝とにＵ字ボルト２７が挿入され、Ｕ字ボルト２７の先端に蝶ボルト２８が螺合される。そして、支柱受金具２５と挟持金具２６との間にポールを配置して蝶ボルト２８を螺着することにより、支柱受金具２５と挟持金具２６とでポールを挟持して、ポールにアンテナ装置１を直立して固着することができる。
【００２２】
上記したように本発明にかかるアンテナ装置１は屋内においても屋外においても直立して使用されるようになり、マルチメディア放送の水平偏波を受信することができる。また、アンテナ装置１に内蔵されているループアンテナ３は２０７．５ＭＨｚ〜２２２ＭＨｚの周波数帯域のマルチメディア放送を受信することができる寸法とされている。
次に、本発明にかかるアンテナ装置１において導体板４がない場合とある場合の電圧定在波比（ＶＳＷＲ）を示すことにより、導体板４の作用を説明する。本発明にかかるアンテナ装置１において導体板４がない場合のＶＳＷＲの周波数特性を図１５に、本発明にかかるアンテナ装置１において導体板４がある場合のＶＳＷＲの周波数特性を図１６に示す。
導体板４がない場合のＶＳＷＲの周波数特性を示す図１５を参照すると、導体板４がない場合であってアンテナ取付具がない場合（屋内で使用する場合）は周波数２０７．５ＭＨｚ〜２２２ＭＨｚにおいて約２．０以下のＶＳＷＲが得られており、約２１８ＭＨｚにおいて共振して約１．１２の最良のＶＳＷＲが得られている。また、導体板４がない場合であってアンテナ取付具がある場合（屋外で使用する場合）は周波数２０７．５ＭＨｚ〜２２２ＭＨｚにおいて約１．９以下のＶＳＷＲが得られており、約２１６ＭＨｚにおいて共振して約１．２の最良のＶＳＷＲが得られている。図１５を参照すると、導体板４がない場合では、アンテナ取付具がある場合はアンテナ取付具がない場合に比してＶＳＷＲ特性が全体的に低い周波数側にシフトしてしまうことが分かる。
【００２３】
これに対して、導体板４がある場合のＶＳＷＲの周波数特性を示す図１６を参照すると、導体板４がある場合であってアンテナ取付具がない場合（屋内で使用する場合）は周波数２０７．５ＭＨｚ〜２２２ＭＨｚにおいて約１．８３以下のＶＳＷＲが得られており、約２１７ＭＨｚにおいて共振して約１．１４の最良のＶＳＷＲが得られている。また、導体板４がある場合であってアンテナ取付具がある場合（屋外で使用する場合）は周波数２０７．５ＭＨｚ〜２２２ＭＨｚにおいて約１．８３以下のアンテナ取付具がない場合と同様のＶＳＷＲが得られており、約２１６ＭＨｚにおいて共振して約１．２の最良のＶＳＷＲが得られている。このように、導体板４がある場合はアンテナ取付具がある場合でもない場合でもほぼ同様のＶＳＷＲ特性が得られることが分かる。
上記したように導体板４を設けることにより、本発明にかかるアンテナ装置１では、導体板４の作用によりアンテナ取付具を必要としない屋内に設置する場合でも、アンテナ取付具を必要とする屋外に設置する場合でもほぼ同様の電気的特性が得られるようになる。
【産業上の利用可能性】
【００２４】
上記説明した本発明のアンテナおよびアンテナ装置において、上側板および下側板の端部をＬ字状にしたが、Ｌ字状にしなくてもよい。また、本発明にかかるアンテナ装置において導体板を固定用枠体で後ケースに固着するようにしたが、これに替えて導体板を後ケースの内側に貼着したり後ケースに直接ネジ止めするようにしてもよい。この場合、導体板の形状は矩形の四隅が切り欠かれた形状とする必要はなく、四隅が斬りかかれていない矩形とすることができる。さらに、導体板の形状はアンテナ取付具を投影した形状とほぼ同様の形状とされていればよく、矩形に限るものではない。
【符号の説明】
【００２５】
１  アンテナ装置、２  アンテナ装置、２ｃ  スタンド、３  ループアンテナ、３ａ  上側板、３ｂ  右側板、３ｃ  下側板、３ｄ  左側板、３ｅ  給電点、３ｆ  係止孔、４  導体板、１０  前ケース、１０ａ  底面、１０ｂ  側壁、１０ｃ  突起片、１１  後ケース、１１ａ  底面、１１ｂ  側壁、１１ｃ  透孔、１１ｄ  挿通孔、１２  固定用枠体、１３  ネジ、１４  スペーサ、１５  挿通孔、１６  ナット、２１  バラン、２２  接栓座、２３  挿通孔、２４  ネジ、２５  支柱受金具、２６  挟持金具、２７  Ｕ字ボルト、２８  蝶ボルト、２９  ネジ、１００  ループアンテナ、１００ａ  上側板、１００ｂ  右側板、１００ｃ  下側板、１００ｄ  左側板、１００ｅ  給電点、１０１  導体板、１０２  アンテナ取付具、１０３  バラン、１０４  端子
【図１】
2013093805.tif 000003
【図２】
2013093805.tif 000004
【図３】
2013093805.tif 000005
【図４】
2013093805.tif 000006
【図５】
2013093805.tif 000007
【図６】
2013093805.tif 000008
【図７】
2013093805.tif 000009
【図８】
2013093805.tif 000010
【図９】
2013093805.tif 000011
【図１０】
2013093805.tif 000012
【図１１】
2013093805.tif 000013
【図１２】
2013093805.tif 000014
【図１３】
2013093805.tif 000015
【図１４】
2013093805.tif 000016
【図１５】
2013093805.tif 000017
【図１６】
2013093805.tif 000018